(57)【要約】【課題】簡単な構成で、利用者を背面から安定的に支持する椅子を提供する。【解決手段】椅子２０は、キャスタ付の脚部材２１、受台２２、座部２５、肘掛部２６及び背もたれ部３０を備えている。背もたれ部３０は、背フレーム３１と、背支柱３２と、背受けシート３６とを備えている。背フレーム３１には、左枠部３１ｃ及び右枠部３１ｄに架け渡すように、これらに接続された横フレーム３５が一体形成されている。横フレーム３５の取付部を介して、左右一対のサポート部４０が取り付けられている。各サポート部４０は、左右方向に揺動可能に取り付けられている。【選択図】図１
2015092924.tif 000002
【特許請求の範囲】
【請求項１】
縦フレームに固定された背受けシートを備えたる背もたれ部と、
前記縦フレームに対して左右に渡すように設けた横フレームと、
前記横フレームに、左右に対となるサポート部とを設けたことを特徴とする椅子。
【請求項２】
前記サポート部は、揺動機構を有した接続部を介して横フレームに固定されていることを特徴とする請求項１に記載の椅子。
【請求項３】
前記揺動機構は、前記サポート部を基準位置に戻す弾性部材を備えていることを特徴とする請求項２に記載の椅子。
【請求項４】
前記弾性部材には、基準位置に戻す弾性強度の調節機構を設けたことを特徴とする請求項３に記載の椅子。
【請求項５】
前記サポート部は、垂直方向に揺動可能に取り付けられていることを特徴とする請求項１〜４の何れか１項に記載の椅子。
【請求項６】
前記サポート部は、水平方向に揺動可能に取り付けられていることを特徴とする請求項１〜５の何れか１項に記載の椅子。
【請求項７】
前記サポート部は、中心部分を介して支持されており、中心領域の厚みを、周辺領域の厚みよりも肉厚にしたことを特徴とする請求項１〜６の何れか１項に記載の椅子。
【請求項８】
前記サポート部は、前記横フレームに対して着脱可能となる着脱機構を設けたことを特徴とする請求項１〜７の何れか１項に記載の椅子。
【請求項９】
前記サポート部は、対となるサポート部の動きに連動して左右対称の位置に移動可能に接続されていることを特徴とする請求項１〜８の何れか１項に記載の椅子。
【発明の詳細な説明】
【技術分野】
【０００１】
本発明は、例えばオフィス等で使用される椅子に関する。
【背景技術】
【０００２】
座り姿勢で仕事を行なうために、利用者の腰等をサポートする部材を備えた椅子が検討されている（例えば、特許文献１〜３参照）。
特許文献１に記載の椅子は、背凭部の支持枠に、縦方向に延びる一対のフレーム部を設け、各フレームに対して複数のサポート体をそれぞれ略水平方向に回転可能に設けている。
【０００３】
特許文献２に記載の椅子は、背フレームの立上部の上端より上方へ突出するよう固着された基部に設けられた腰当てを備えている。この腰当ては、横長矩形状に形成されており、背もたれの背面に対しては所要の間隔を有し、背もたれが後傾されたとき背もたれに当接して人体の腰部を支える。
【０００４】
また、特許文献３に記載の椅子は、揺動フレームに固定されたバックフレームと、このバックフレームに張れたサポートシートとからなる背もたれを備えている。揺動フレームの１対の背支柱には、サポートシートのランバーサポート部の左右両端部の後ろの位置となるように、各ランバーパッドがそれぞれ取り付けられている。
【先行技術文献】
【特許文献】
【０００５】
【特許文献１】特開２００２−１９９９６２号公報（第１頁、図１）
【特許文献２】特開２００７−１１７５３７号公報（第１頁、図１）
【特許文献３】特開２０１０−０９９１０４号公報（第１頁、図１）
【発明の概要】
【発明が解決しようとする課題】
【０００６】
特許文献１に記載の椅子では、利用者の背中をサポートするサポート体を設けるために、椅子の支持枠に一対のフレームを設ける必要がある。更に、一対のフレームに、複数のサポート体を整列した状態で回転可能に取り付ける必要がある。従って、サポート体を支持する機構が必要となり、構造が複雑になる。
【０００７】
特許文献２に記載の腰当ては、背もたれシートの背面に配置された基部に設けられている。このため、背もたれシートを支持する部材とは別に、腰当てを支持する部材を設ける必要がある。従って、部品点数が増えるとともに、構造が複雑になる。更に、この特許文献２に記載された技術においては、背フレームに設けられている腰当ては中央上部にあるため、利用者を安定して支持することは困難な場合がある。
【０００８】
また、特許文献３に記載された技術においては、背支柱にランバーパッドが設けられているため、背支柱をランバーパッド毎に設けるとともに、フレームに固定する必要がある。このため、部品点数が増えるとともに、構成が複雑になる。
【０００９】
本発明は、上記問題点を解決するためになされたものであり、その目的は、簡単な構成で、利用者を背面から安定的に支持する椅子を提供することにある。
【課題を解決するための手段】
【００１０】
上記課題を解決する椅子は、縦フレームに固定された背受けシートを備えたる背もたれ部と、前記縦フレームに対して左右に渡すように設けた横フレームと、前記横フレームに、左右に対となるサポート部とを設けたことを要旨とする。
【００１１】
この構成によれば、縦フレームに対して左右に渡すように設けた横フレームに対となるサポート部を設けた。このため、横フレームを利用して、簡易な構成により、椅子の利用者の背や脇を、両側から安定して支持することができる。
【００１２】
上記椅子について、前記サポート部は、揺動機構を有した接続部を介して横フレームに固定されていることが好ましい。この構成によれば、利用者の体型、姿勢又は動きに合わせてサポート部を追従させることができる。
【００１３】
上記椅子について、前記揺動機構においては、前記サポート部を基準位置に戻す弾性部材を備えていることが好ましい。この構成によれば、利用者の姿勢や動きに追従して、サポート部の向きが変更された後で、サポート部に加わった力が解放された場合、サポート部を元の向きに戻すことができる。
【００１４】
上記椅子について、前記弾性部材には、基準位置に戻す弾性強度の調節機構を設けることが好ましい。この構成によれば、弾性部材の弾性強度を変更することができるので、利用者の体型や姿勢に応じて、揺動の強度を調節することができる。
【００１５】
上記椅子について、前記サポート部は、垂直方向に揺動可能に取り付けられていることが好ましい。この構成によれば、利用者の体型や姿勢に追従してサポート部の垂直方向の傾きが変更されるので、利用者の背や脇を安定して支持することができる。
【００１６】
上記椅子について、前記サポート部は、水平方向に揺動可能に取り付けられていることが好ましい。この構成によれば、利用者の体型や左右の捻り等の動作に応じてサポート部の水平方向の傾きが変更されるので、利用者の背や脇を安定して支持することができる。
【００１７】
上記椅子について、前記サポート部は、中心部分を介して支持されており、中心領域の厚みを、周辺領域の厚みよりも肉厚にすることが好ましい。これにより、中心部分において剛性を高めて、背を安定して支持するとともに、周辺領域においては、利用者の体型等に応じて変形させることができる。
【００１８】
上記椅子について、前記サポート部は、前記横フレームに対して着脱可能となる脱着機構を設けることが好ましい。この構成によれば、サポート部を、必要性に応じて脱着することができる。
【００１９】
上記椅子について、前記サポート部は、対となるサポート部の動きに連動して左右対称の位置に移動可能に接続されていることが好ましい。これにより、対となるサポート部を、左右連動させて、利用者の体型等に応じた間隔に配置することができる。
【発明の効果】
【００２０】
本発明によれば、簡易な構成により、利用者を背面から安定して支持することができる。
【図面の簡単な説明】
【００２１】
【図１】本実施形態における椅子の斜視図であって、（ａ）は正面・平面・右側面側からの斜視図、（ｂ）は背面・平面・左側面側からの斜視図。
【図２】本実施形態における椅子の説明図であって、（ａ）は正面図、（ｂ）は右側面図。
【図３】本実施形態におけるサポート部の取付を説明する椅子の要部拡大断面図であって、（ａ）はサポート部を取り外した状態、（ｂ）はサポート部を装着した状態を示す。
【図４】本実施形態におけるサポート部の説明図であって、（ａ）は右側面図、（ｂ）は背面図、（ｃ）は断面図、（ｄ）は背面・平面・右側面側からの斜視図。
【図５】本実施形態におけるサポート部の斜視図であって、（ａ）は正面・平面・右側面側からの斜視図、（ｂ）は背面・底面・左側面側からの斜視図。
【図６】第１変更例におけるサポート部の構成を説明する説明図であって、（ａ）は概略斜視図、（ｂ）は概略右側面図。
【図７】第２変更例におけるサポート部の構成を説明する説明図。
【図８】第３変更例におけるサポート部の構成を説明する説明図であって、（ａ）は右側面図、（ｂ）は正面図。
【図９】第３変更例における横フレーム及びサポート部を説明する説明図。
【図１０】第４変更例における横フレーム及びサポート部を説明する説明図。
【発明を実施するための形態】
【００２２】
以下、本発明を具体化した椅子の一実施形態を図１〜図５を用いて説明する。
図１（ａ）及び図１（ｂ）は、本実施形態の椅子２０の斜視図である。また、図２（ａ）及び図２（ｂ）は、それぞれ、この椅子２０の正面図及び右側面図である。
【００２３】
図１（ａ）に示すように、本実施形態における椅子２０は、キャスタ付の脚部材２１、受台２２、座部２５、肘掛部２６及び背もたれ部３０を備えている。
脚部材２１の中央には、脚柱２１ａが取り付けられている。この脚柱２１ａには、ガススプリングが内蔵されている。このガススプリングは、受台２２から突出した操作レバー２３の操作に応じて、受台２２の高さ調整を行なう。受台２２の上部には、座部２５が取り付けられている。この座部２５は、座板の上にウレタンフォーム等のクッション材が積層され、布等によって被覆されて構成されている。更に、座部２５の座板の両側には、それぞれ肘掛部２６の下端部が設けられている。各肘掛部２６は、図２（ｂ）に示すように、肘を載置する上面がほぼ平らで椅子２０の前側に延びる形状をしている。
【００２４】
図２（ａ）に示すように、背もたれ部３０は、左右対称の形状をしており、背もたれ部３０を形作る略長方形状の背フレーム３１と、この背フレーム３１の中央下端部に一体化された一対の背支柱３２と、背フレーム３１に取り付けられた背受けシート３６とを備えている。背支柱３２は、受台２２を挟み込むように受台２２に取り付けられている。背受けシート３６は、メッシュ形状であり、背フレーム３１の上枠部３１ａ、下枠部３１ｂ、左枠部３１ｃ及び右枠部３１ｄ間に張られている。
【００２５】
更に、本実施形態の椅子２０の背フレーム３１には、縦フレームである左枠部３１ｃ及び右枠部３１ｄに接続された横フレーム３５が一体形成されている。この横フレーム３５は、背フレーム３１内の下方であって、肘掛部２６の上面よりも下方の位置に配置されている。この横フレーム３５は、図２（ｂ）に示すように、中央が背面側に突出する略円弧状の曲面をしている。
【００２６】
図３（ａ）及び図３（ｂ）は、後述するサポート部４０の取付を説明する要部の正面図であって、背受けシート３６がない状態で、図３（ａ）はサポート部４０を取り外した状態、図３（ｂ）はサポート部４０を取り付けた状態を示している。
【００２７】
図３（ａ）に示すように、本実施形態の横フレーム３５は、断面がコの字形状をしており、正面側に突出した上端部３５ａ及び下端部３５ｂを備えている。この横フレーム３５の左右には、取付部３５ｃが設けられている。この取付部３５ｃは、水平方向に延びる１対（２つ）の取付軸３５ｃ１，３５ｃ２が距離Ｌ１で離間して配置されている。なお、図３（ａ）においては、正面から見て椅子２０の左側（右枠部３１ｄ側）のみを示しているが、同様な構成が、横フレーム３５の右側（左枠部３１ｃ側）にも設けられている。
【００２８】
図３（ａ）に示すように、本実施形態の椅子２０においては、横フレーム３５の取付軸３５ｃ１，３５ｃ２を介して、左右一対のサポート部４０が左右方向に揺動可能に取り付けられている。各サポート部４０は、略半円形状をしており、円弧側が椅子２０の中央側となるように配置されている。
【００２９】
次に、図４及び図５を用いて、サポート部４０の構成について詳述する。図４及び図５は、椅子２０の左枠部３１ｃ側に設けられたサポート部４０の構成を示している。なお、椅子２０の右枠部３１ｄ側のサポート部４０の構造は、図４及び図５に示したサポート部４０と左右対称の構成をしているので、これについては説明を省略する。
図４（ａ）、図４（ｂ）、図４（ｃ）及び図４（ｄ）は、それぞれ、サポート部４０の右側面図、背面図、断面図及び背面右側上方から見た斜視図である。また、図５（ａ）及び図５（ｂ）は、それぞれ、正面右側上方から見た斜視図、背面左側下方から見た斜視図である。
【００３０】
図４（ｃ）に示すように、サポート部４０は、背当て部材４１と、接続部材４２と、背当て部材４１及び接続部材４２を連結する連結部材４３とを備えている。
背当て部材４１は、全体として略半円形状をして中央が突出した椀形状をしている。この背当て部材４１は、中心領域の厚みを、周辺領域の厚みよりも肉厚にした形状をしている。背当て部材４１は、ポリプロピレン（ＰＰ）やポリカーボネイト（ＰＣ）等の材料で構成されている。このため、周辺領域（上端部や下端部の近傍）を利用者の動きによって撓ませることができ、背当て部材４１に加わった力が解放された場合には材料自体の弾性変形によって元の形状に戻すことができる。
【００３１】
更に、この背当て部材４１の中央には、背受けシート３６とは反対側（裏面側）に突起部４１ａが形成されている。この突起部４１ａは、上下方向に貫通した貫通孔が形成されている。
【００３２】
図４（ｄ）に示すように、接続部材４２は、背当て部材４１側の先端が細くなった五角柱形状を有している。更に、接続部材４２の背当て部材４１側とは反対側の面は、横フレーム３５の曲面に沿うように傾斜している。
接続部材４２の側面には、背当て部材４１が設けられる反対側端部において、着脱機構としての爪部４２ａ，４２ｂが設けられている。背当て部材４１の円弧側の側面に設けられた爪部４２ａの水平方向の長さは、反対側の側面に設けられた爪部４２ｂよりも長い。各爪部４２ａ，４２ｂの先端には、水平方向の外側に突出した引っ掛け部４２ａｈ，４２ｂｈが形成されている。更に、接続部材４２には、各爪部４２ａ，４２ｂの内側には、各爪部４２ａ，４２ｂの先端には内部空間が設けられている。内部空間は、各爪部４２ａ，４２ｂの先端部側を内側に押圧することにより、引っ掛け部４２ａｈ，４２ｂｈを接続部材４２内に引っ込めるために用いられる。
【００３３】
図４（ｄ）に示すように、爪部４２ａの引っ掛け部４２ａｈの外側端部から爪部４２ｂの引っ掛け部４２ｂｈの外側端部までは、自然状態における距離Ｌ２離れている。この距離Ｌ２は、横フレーム３５の取付軸３５ｃ１，３５ｃ２の距離Ｌ１よりも大きい。また、引っ掛け部４２ａｈ，４２ｂｈを押し縮めた場合、引っ掛け部４２ａｈ，４２ｂｈ間の距離は、横フレーム３５の取付軸３５ｃ１，３５ｃ２の距離Ｌ１よりも小さくなる。従って、引っ掛け部４２ａｈ，４２ｂｈを押し込んで、取付軸３５ｃ１，３５ｃ２間に挿入でき、引っ掛け部４２ａｈ，４２ｂｈを取付軸３５ｃ１，３５ｃ２に引っ掛けることにより、サポート部４０を固定している。
【００３４】
更に、図４（ｃ）に示すように、接続部材４２の先端部には、凹部４２ｘが形成されている。この凹部４２ｘには、背当て部材４１の突起部４１ａが挿入されている。この接続部材４２の先端部には、凹部４２ｘを上下方向に貫通する貫通孔が形成されている。この貫通孔は、背当て部材４１の突起部４１ａの貫通孔と整合されており、これらの貫通孔に連結部材４３が遊嵌されている。これにより、背当て部材４１は、図４（ｃ）に示すように、連結部材４３の軸心である中心軸ｃ１を中心として水平方向（左右方向）に揺動可能に、接続部材４２に取り付けられている。
【００３５】
更に、接続部材４２の凹部４２ｘと、背当て部材４１の突起部４１ａとの間には、弾性部材としてのコイルばねが介在している。このコイルばねは、背当て部材４１の突起部４１ａを押し付けており、背当て部材４１に外力が加わっていない場合には、突起部４１ａが接続部材４２の基準位置（例えば、凹部の中央）に位置するように配置される。更に、外力により背当て部材４１の向きが変更された後、外力が解放された場合には、圧縮されたコイルばねの復元力によって、背当て部材４１の突起部４１ａの向き（姿勢）が元の基準位置に戻る。
【００３６】
次に、図３〜図５を用いて、本実施形態の椅子２０に、サポート部４０を取り付ける取付方法について説明する。
サポート部４０の接続部材４２の両爪部４２ａ，４２ｂを押し縮めて、横フレーム３５の１対の取付軸３５ｃ１，３５ｃ２の距離Ｌ２よりも外径が小さくなるようにする。そして、各爪部４２ａ，４２ｂの引っ掛け部４２ａｈ，４２ｂｈを取付部３５ｃの背面となるように位置させて、両爪部４２ａ，４２ｂの押圧を緩める。これにより、爪部４２ａ，４２ｂの復元力により、各引っ掛け部４２ａｈ，４２ｂｈが各取付軸３５ｃ１，３５ｃ２に引っ掛かる。以上により、サポート部４０が横フレーム３５に取り付けられる。なお、サポート部４０を取り外す場合には、各サポート部４０の引っ掛け部４２ａｈ，４２ｂｈを押し縮めて、取付部３５ｃの取付軸３５ｃ１，３５ｃ２から取り外す。
【００３７】
次に、本実施形態の椅子２０のサポート部４０の作用について説明する。
本実施形態の椅子２０を利用する利用者は、背中を背受けシート３６に付けた状態で座部２５に着席する。この場合、利用者の背や脇にサポート部４０が当接する。この状態で、利用者が左右に動いた場合、サポート部４０が、利用者の動きに応じて中心軸ｃ１を中心として水平方向に揺動する。そして、利用者の背や脇がサポート部４０から離れたり元に戻ったりした場合には、コイルばねが、サポート部４０の向きを通常位置に戻す。また、利用者が背中を後方に反らせた場合や反らせた姿勢を元に戻した場合には、サポート部４０が材料自体の弾性力によって、この動きに追従する。
【００３８】
本実施形態の椅子２０によれば、以下のような効果を得ることができる。
（１）本実施形態では、椅子２０の左枠部３１ｃ及び右枠部３１ｄに対して左右に渡すように設けた横フレーム３５に対となるサポート部４０を設けた。このため、椅子の利用者の背や脇を、両側から安定して支持することができる。更に、サポート部４０を、背もたれ部３０の左枠部３１ｃ及び右枠部３１ｄに渡すように設けた横フレーム３５に取り付けたので、サポート部４０を支持する部材を、背受けシート３６を支持する背フレーム３１とは別体で背面側に設ける必要がなく、簡易な構成で利用者を支持することができる。
【００３９】
（２）本実施形態のサポート部４０は、揺動機構を有した接続部材４２を備え、この接続部材４２を介して横フレーム３５に固定した。このため、利用者の体型、姿勢又は動きに追従して、サポート部４０が揺動するので、利用者の背や脇を安定的に支持することができる。
【００４０】
（３）本実施形態のサポート部４０は、接続部材４２の凹部４２ｘと、背当て部材４１の突起部４１ａとの間にコイルばねが介在している。このため、利用者の姿勢や動きに応じて、サポート部４０を元の向きに戻すことができる。
【００４１】
（４）本実施形態のサポート部４０は、中心軸ｃ１を中心にして水平方向に揺動可能に横フレーム３５に取り付けた。このため、利用者の体型や姿勢に追従してサポート部４０の水平方向の傾きが変更されるので、利用者の背や脇を安定して支持することができる。
【００４２】
（５）本実施形態のサポート部４０の背当て部材４１は、中央に設けた突起部４１ａを介して支持されているとともに、中心領域の厚みを、周辺領域の厚みよりも肉厚にした形状をしている。このため、中心部において剛性を高めて、背を安定して支持するとともに、周辺領域は、利用者の体型等に応じて変形させることができる。
【００４３】
（６）本実施形態のサポート部４０は、横フレーム３５の取付部３５ｃに、接続部材４２を介して取り付けられている。このため、サポート部４０を、必要に応じて脱着することができる。
【００４４】
また、上記実施形態は以下のように変更してもよい。
・上記実施形態のサポート部４０は、水平方向（左右方向）に揺動可能に、背もたれ部３０の横フレーム３５に取り付けた。サポート部４０を水平方向に揺動可能とする取付構造は、上述した構造に限定されるものではない。
【００４５】
また、サポート部４０を、水平方向の揺動に代えて、垂直方向（上下方向）にも揺動する取付構成を用いることも可能である。この場合、上記実施形態において垂直方向に延在するように配置された連結部材４３と、この連結部材４３を挿入する突起部４１ａの貫通孔及び凹部４２ｘの貫通孔とを、水平方向に延在するように、９０度回転した位置に設けてもよい。
【００４６】
また、水平方向だけでなく垂直方向にも揺動する取付構造を用いることも可能である。この場合、例えば、図６に示すように、ボールジョイント機構を用いてもよい。ここで、図６（ａ）及び図６（ｂ）は、それぞれ、ボールジョイント機構を用いたサポート部５０の概略斜視図及び右側面図である。
【００４７】
図６に示すように、サポート部５０は、背当て部材５１と、横フレーム３５に取り付けられる接続部材５２とを備える。背当て部材５１は、背当て部材４１と同様な形状をしており、その中央に突起部５１ａが形成されている。この突起部５１ａは、サポート部４０の突起部４１ａと異なり、球形状をしている。接続部材５２は、先端部側に凹部が形成されている。接続部材５２の凹部に、突起部５１ａが揺動可能に挿入されることにより、背当て部材５１は、水平方向及び垂直方向に揺動可能に接続部材５２に支持される。これにより、サポート部５０を水平及び垂直の２次元的に揺動させることができる。
【００４８】
・上記実施形態のサポート部４０は、背当て部材４１の突起部４１ａを基準位置に戻すためのコイルばねを収納した。これに加えて、このコイルばねの弾性強度を調整する機構を設けてもよい。具体的には、コイルばねの圧縮状態を変更させる機構を設ける。この調整機構により、コイルばねの弾性強度を変更することができるので、利用者の体型や姿勢に追従させることができる。
【００４９】
・上記実施形態のサポート部４０は、水平方向及び垂直方向に揺動可能に、横フレーム３５に取り付けた。これに加えて、椅子２０の前後方向に伸縮するサポート部を設けることも可能である。具体的には、図７に示すように、入れ子形状の接続部材６２を、背当て部材６１の中央に接続したサポート部６０とする。この接続部材６２の内部には、コイルばねが収納されており、背当て部材６１側に押圧している。このため、サポート部４０を利用者の体型や姿勢に追従することができ、背や脇を安定して支持することができる。
【００５０】
・上記実施形態のサポート部４０は、全体として略半円形状をして中央が突出した皿形状の背当て部材４１を備えている。これに加えて、背当て部材４１に、熱容量の大きい柔軟材を取り付けてもよい。具体的には、図８（ａ）及び図８（ｂ）に示すように、背当て部材７１の前面に、背当て部材７１のほぼ全面を覆うジェルシート７５を設ける。このジェルシート７５は、冷却又は加温するために、ジェル状の保冷材又は保温剤が耐熱袋に収納されている。この場合、サポート部７０の背当て部材７１の前面及びジェルシート７５の背面に、面ファスナー等を設けることにより、ジェルシート７５を背当て部材７１に容易に着脱可能としてもよい。
【００５１】
更に、上記実施形態においては、サポート部４０の背当て部材４１は、略半円形状をして中央が突出した椀形状をしている。これに加えて、背当て部材４１の前面側に、複数の突起部を設けてもよい。この場合には、突起部が、利用者の背や脇を押圧することにより、指圧効果等の刺激を与えることができる。
【００５２】
・上記実施形態のサポート部４０を横フレーム３５に取り付けた。これに加えて、サポート部４０を左右方向に移動可能な構成にすることも可能である。この場合、サポート部４０は、対となっているサポート部４０の移動に連動して左右に並進可能な構成にしてもよい。具体的には、背フレーム３１には、図９に示す横フレーム８５が一体形成されている。この横フレーム８５には、横フレーム８５の長手方向に延在する２つの長孔８６と、これらを中央で連通する孔８７とが配置されている。各長孔８６には、左右方向に移動可能なラック（歯竿）８８が長孔８６によって左右方向にガイドされて配置されており、孔８７には、２つのラック８８に噛合するピニオン８９が配置されている。ラック８８の歯が形成されていない側には、サポート部４０が揺動可能に取り付けられている。これにより、一方のサポート部４０を左右に移動させた場合、この動きに連動して、対となる他方のサポート部４０が、左右対称となる位置に移動する。従って、対となる両サポート部の間隔を、椅子の中心から対称的に容易に変更することができる。このため、利用者の腰の形状に適した間隔に両サポート部４０を配置することができ、腰を安定して支持することができる。
【００５３】
・上記実施形態のサポート部４０は、背フレーム３１に一体形成された横フレーム３５に取り付けた。サポート部４０を取り付ける横フレームは、背フレーム３１の縦フレーム（左枠部３１ｃ、右枠部３１ｄ）に対して左右に渡すように設けた部材であれば、背フレーム３１と一体形成物に限定されるものではない。例えば、背フレーム３１に固定されている背受けシート３６の一部を横フレームとしてもよい。具体的には、図１０に示す椅子９０には、背フレーム９１に背受けシート９６内の下方において、横フレームとしてのサポート部材９５が配置されている。このサポート部材９５は、帯状シートにより構成されており、２つの突起部９７が離間して設けられている。この突起部９７は、クッション材で構成されている。サポート部材９５が背受けシート９６の下方に配置された場合に、中央よりも右側及び左側となる位置に配置される。更に、サポート部材９５の両端部には、紐を通す複数の孔が１列に形成されている。このため、この孔に紐を通して締めることにより、背受けシート９６にサポート部材９５を設けることができる。
【００５４】
更に、サポート部材９５に、突起部９７の張力を操作して調整するための張力調整機構を設けてもよい。これにより、サポート部材９５の突起部９７の張力を容易に変更することができる。従って、利用者の腰に当接するサポート部（突起部９７）の押圧力を容易に調整することができる。
【符号の説明】
【００５５】
２０，９０…椅子、２１…脚部材、２１ａ…脚柱、２２…受台、２３…操作レバー、２５…座部、２６…肘掛部、３０…背もたれ部、３１…背フレーム、３１ａ…上枠部、３１ｂ…下枠部、３１ｃ…左枠部、３１ｄ…右枠部、３２…背支柱、３５，８５…横フレーム、３５ａ…上端部、３５ｂ…下端部、３５ｃ…取付部、３５ｃ１，３５ｃ２…取付軸、３６，９６…背受けシート、４０，５０，６０，７０，９５…サポート部、４１，５１，６１，７１…背当て部材、４１ａ，５１ａ…突起部、４２，５２，６２…接続部材、４２ａ，４２ｂ…爪部、４２ａｈ，４２ｂｈ…引っ掛け部、４３…連結部材、７５…ジェルシート、８６…長孔、８７…中央孔、８８…ラック、８９…ピニオン、９７…突起部。
【図１】
2015092924.tif 000003
【図２】
2015092924.tif 000004
【図３】
2015092924.tif 000005
【図４】
2015092924.tif 000006
【図５】
2015092924.tif 000007
【図６】
2015092924.tif 000008
【図７】
2015092924.tif 000009
【図８】
2015092924.tif 000010
【図９】
2015092924.tif 000011
【図１０】
2015092924.tif 000012